(57)【要約】【課題】敷地やプランに合わせて建物ユニットの配置を変更しやすいユニット建物。【解決手段】柱２、天井梁４、床梁３を組み合わせて箱型とした柱省略建物ユニットを上下左右に複数個配置して構成されるユニット建物Ａであって、隣接する柱省略建物ユニット１０Ｅ１乃至１０Ｅ６、１０Ｔ１乃至１０Ｔ６、１０Ｗ１乃至１０Ｗ６の妻面同士が離し置き配置されており、離し置き配置により生じる建物ユニット間隙９ＥＴ、９ＴＷの長手方向に沿って渡し梁１３ＥＴ、１３ＴＷが設けられ、建物ユニット間隙９ＥＴ、９ＴＷに面する建物ユニット側面が、前記渡し梁１３ＥＴ、１３ＴＷに接合されている。【選択図】  図１
2007247343.tif 000002
【特許請求の範囲】
【請求項１】
柱、天井梁、床梁を組み合わせて箱型とした建物ユニットを上下左右に複数個配置して構成されるユニット建物であって、隣接する建物ユニット同士が離し置き配置されており、離し置き配置により生じる建物ユニット間隙の長手方向に沿って渡し梁が設けられ、建物ユニット間隙に面する建物ユニット側面が、前記渡し梁に接合されていることを特徴とするユニット建物。
【請求項２】
前記ユニット建物が、建物ユニットの妻面同士を隣接させる方向に３個以上の建物ユニットが配置されたものであり、建物ユニットの妻面同士が離し置き配置されており、
離し置き配置により生じる建物ユニット間隙の長手方向で、建物ユニット間隙に面する建物ユニット柱で屋外に面する柱同士間に渡って渡し梁が設けられ、建物ユニットの屋外に面する柱以外の柱が省略されていることを特徴とする請求項１記載のユニット建物。
【請求項３】
前記建物ユニットの桁面幅が４ｍ以下となっていることを特徴とする請求項１又は請求項２記載のユニット建物。
【請求項４】
下階建物ユニットの上方に上階建物ユニットが搭載されたユニット建物であって、
前記渡し梁の成の高さが下階建物ユニットの天井梁から上階建物ユニットの床梁にまで延在され、渡し梁がその延在部分でも建物ユニット側面に接続されてなることを特徴とする請求項１乃至請求項３のいずれかに記載のユニット建物。
【請求項５】
前記建物ユニット間隙に、建物ユニット側面の柱と接合された繋ぎ柱が設けられ、前記繋ぎ柱が建物ユニット間隙幅と略同じ幅になされ、且つ前記渡し梁に接合されていることを特徴とする請求項１乃至請求項４のいずれかに記載のユニット建物。
【請求項６】
前記柱が省略された建物ユニットとして、仮柱を柱省略部に着脱自在としてなる柱省略建物ユニットを用い、繋ぎ柱と渡し梁を接合完了するまでは柱省略建物ユニットの仮柱を設けておき、渡し梁の接合完了後に仮柱を取外すことを特徴とする請求項１乃至請求項５のいずれかに記載のユニット建物の構築方法。
【発明の詳細な説明】
【技術分野】
【０００１】
本発明は複数個の建物ユニットで構成されるユニット建物に関する。
【背景技術】
【０００２】
ユニット建物は、四隅に柱を配置し、柱間を天井梁、床梁で接続し箱型とした建物ユニニットを上下左右に複数個配置して構成されている。このようなユニット建物は、特許文献１や図６のように、主に桁面の大きさの異なる建物ユニットを組み合わせることにより、様々なプランや敷地形状に対応させている。
例えば、図６のユニット建物は、袋小路になった狭い道路の最も奥の敷地に設けられており、敷地の南西の角部分で道路に面した敷地に設けられている。このユニット建物の１階部分は、建物ユニットの桁面９００ｍｍを１モジュールとして、西側に４モジュールの建物ユニット３個、東側に６モジュールの建物ユニット３個を配置して構成されている。各建物ユニットについては、北西側の建物ユニットには浴室、洗面等の水周り設備が、その南側の２個の建物ユニットには和室が構成され、北東側の建物ユニットには階段とキッチンが、その南側の２個の建物ユニットにはリビング・ダイニングが構成されている。
このような、ユニット建物を構築する際には、道路に大型クレーンを設置し、建物ユニットを吊り上げて所定の場所に設置している。  
【特許文献１】特開２００４−１０８１０１号公報
【発明の開示】
【発明が解決しようとする課題】
【０００３】
しかし、特許文献１や図６のようなユニット建物では、以下の２点の課題がある、
（１）桁面幅の小さい建物ユニットで建物を構築すると柱が多くなり、大空間を構成しにくくなったり、建物ユニット同士を隣接させる部分で柱を重ねた幅のデットスペースが生じやすくなったりといった、建物ユニットの柱がプラン構築上の大きな制約を与えるものとなっている。
【０００４】
（２）図６のように道路が袋小路などで狭い場合には、大型のクレーンを設置することができないため、大きな重量を吊り上げることができない。したがって、道路から離れた位置に、大空間を構成し易い桁面幅の大きな建物ユニットを設けることができない。
【０００５】
よって、本発明の目的は、上記課題を解決できる、桁面幅の小さな建物ユニットで構築しても、プランの制約が少なくなるユニット建物を提供することにある。
【課題を解決するための手段】
【０００６】
請求項１記載の発明は、柱、天井梁、床梁を組み合わせて箱型とした建物ユニットを上下左右に複数個配置して構成されるユニット建物であって、隣接する建物ユニット同士が離し置き配置されており、離し置き配置により生じる建物ユニット間隙の長手方向に沿って渡し梁が設けられ、建物ユニット間隙に面する建物ユニット側面が、前記渡し梁に接合されていることを特徴とするユニット建物である。
【０００７】
隣接する建物ユニット同士が離し置き配置される距離については、隣接する建物ユニットのモジュール芯同士の距離が、モジュール（例えば、０．３ｍ、０．９ｍモジュールなど）の（整数）倍又は（１／整数）倍とされることが、ユニット建物全体として、モジュールが揃うため好ましい。更に、離し置き配置される距離を、略０．１ｍ乃至略１．０ｍｍとするとことが好ましい。これは、０．１ｍ以下とすると渡し梁が板状のものに近くなり剛性を高くしたり、建物ユニットと渡し梁の接合構造も困難となり易く、また１．０ｍ以上にすると長手方向の渡し梁だけでなく、短手方向への梁などの剛性についても高いものが要求されるようになるためである。
【０００８】
請求項１記載の発明によれば、建物ユニット間隙に設けられた渡し梁によりユニット建物が補強されるので強い剛性を有するユニット建物となる。
【０００９】
請求項２記載の発明は、請求項１記載のユニット建物であって、前記ユニット建物が、建物ユニットの妻面同士を隣接させる方向に３個以上の建物ユニットが配置されたものであり、建物ユニットの妻面同士が離し置き配置されており、
離し置き配置により生じる建物ユニット間隙の長手方向で、建物ユニット間隙に面する建物ユニット柱で屋外に面する柱同士間に渡って渡し梁が設けられ、建物ユニットの屋外に面する柱以外の柱が省略されていることを特徴とするものである。
【００１０】
請求項２記載の発明によれば、建物ユニットの屋外に面する柱以外の柱が省略されため、隣接する建物ユニットの柱位置を気にせずにユニット建物を構成することができる。また、建物ユニット同士を隣接させる部分で柱を重ねた幅のデットスペースが生じることもない。
また、隣接する建物ユニット同士が離し置き配置されているので、その建物ユニット間隙部分についても居室等に使用することができる。したがって、ユニット建物の敷地及びプラン対応力を向上させることができる。
【００１１】
請求項３記載の発明は、請求項１又は請求項２記載のユニット建物であって、前記建物ユニットの桁面幅が４ｍ以下となっていることを特徴とするものである。
【００１２】
請求項３記載の発明によれば、建物ユニットの桁面幅が４ｍ以下といった桁面幅が小さい建物ユニットを使用することで、小型のクレーンでも吊り上げることができる。小型クレーンであれば、狭いスペースであっても設置することができるため、今まで据付作業ができなかった図６のような袋小路の狭い道路に面して据付作業を行う必要のあるユニット建物であっても構築することができる。
【００１３】
請求項４記載の発明は、請求項１乃至請求項３のいずれかに記載のユニット建物であって、下階建物ユニットの上方に上階建物ユニットが搭載されたユニット建物であって、
前記渡し梁の成の高さが下階建物ユニットの天井梁から上階建物ユニットの床梁にまで延在され、渡し梁がその延在部分でも建物ユニット側面に接続されてなることを特徴とするものである。
【００１４】
請求項４記載の発明によれば、前記渡し梁の成の高さが上階建物ユニットの床梁にまで延在され、渡し梁がその延在部分でも繋ぎ柱に接続されているので、渡し梁の断面強度を向上させることができ、渡し梁の長手方向の長さを長くすることができるため、柱省略部分増やすことができる。
【００１５】
請求項５記載の発明は、請求項１乃至請求項４記載のユニット建物であって、前記建物ユニット間隙に、建物ユニット側面の柱と接合された繋ぎ柱が設けられ、前記繋ぎ柱が建物ユニット間隙幅と略同じ幅になされ、且つ前記渡し梁に接合されていることを特徴とするものである。
【００１６】
繋ぎ柱と建物ユニット側面の柱との接合としては、例えば、繋ぎ柱と、柱とを高力ボルトを用いて締め付けてその際に生じる摩擦抵抗により応力を伝達する摩擦接合などが使用できる。この摩擦接合を使用すると、繋ぎ柱と、柱との間の応力の流れが円滑となり、繋ぎ柱と柱とが一体の合成柱となるため、断面強度が向上しユニット建物の強度を向上させることができる。
【００１７】
また、繋ぎ柱を下階建物ユニットの側から上階建物ユニットの側にまで延長した通し柱とすると、ユニット建物の上下階での強度、ユニット建物の接合精度を向上させることができるため好ましい。また、繋ぎ柱の下端部を建物基礎に接合すると、繋ぎ柱が安定し、建物基礎へ力を逃がすこともできるため好ましい。
【００１８】
請求項５記載の発明によれば、建物ユニットの間隙に繋ぎ柱が設けられ、繋ぎ柱に渡し梁が接合されるので、建物ユニットの間隙部分は十分な剛性が確保される。そのため、渡し梁が設けられた建物ユニット間隙部分の建物ユニットの柱を省略しても十分な剛性を有するユニット建物とすることができる。
【００１９】
請求項６記載の発明は、請求項１乃至請求項５のいずれかに記載のユニット建物の構築方法であって、前記柱が省略された建物ユニットとして、仮柱を柱省略部に着脱自在としてなる柱省略建物ユニットを用い、繋ぎ柱と渡し梁を接合完了するまでは柱省略建物ユニットの仮柱を設けておき、渡し梁の接合完了後に仮柱を取外すことを特徴とするものである。
【００２０】
請求項６記載の発明によれば、建物ユニットの柱省略部に設けられた仮柱により、施工時の建物ユニットの変形等を防止することができ、通常の柱が有る建物ユニットと同様に扱うことができる。そして、繋ぎ柱と渡し梁を接合完了するまでは柱省略建物ユニットの仮柱を設けておき、渡し梁の接合完了後に仮柱を取外すので、渡し梁を接続時の建物ユニットの強度を低下せしめることがなく、施工段階の建物強度も十分に確保でき、施工性が良い。
【発明の効果】
【００２１】
請求項１記載のユニット建物によれば、建物ユニット間隙に設けられた渡し梁によりユニット建物が補強されるので強い剛性を有するユニット建物となる。
【００２２】
請求項２記載のユニット建物によれば、建物ユニットの屋外に面する柱以外の柱が省略されため、隣接する建物ユニットの柱位置を気にせずにユニット建物を構成することができる。また、建物ユニット同士を隣接させる部分で柱を重ねた幅のデットスペースが生じることもない。また、隣接する建物ユニット同士が離し置き配置されているので、その建物ユニット間隙部分についても居室等に使用することができる。したがって、ユニット建物の敷地及びプラン対応力を向上させることができる。
【００２３】
請求項３記載のユニット建物によれば、建物ユニットの桁面幅が４ｍ以下といった桁面幅が小さい建物ユニットを使用することで、小型のクレーンでも吊り上げることができる。小型クレーンであれば、狭いスペースであっても設置することができるため、今まで据付作業ができなかった図６のような袋小路の狭い道路に面して据付作業を行う必要のあるユニット建物であっても構築することができる。
【００２４】
請求項４記載のユニット建物によれば、前記渡し梁の成の高さが上階建物ユニットの床梁にまで延在され、渡し梁がその延在部分でも繋ぎ柱に接続されているので、渡し梁の断面強度を向上させることができ、渡し梁の長手方向の長さを長くすることができるため、柱省略部分増やすことができる。
【００２５】
請求項５記載のユニット建物によれば、建物ユニットの間隙に繋ぎ柱が設けられ、繋ぎ柱に渡し梁が接合されるので、建物ユニットの間隙部分は十分な剛性が確保される。そのため、渡し梁が設けられた建物ユニット間隙部分の建物ユニットの柱を省略しても十分な剛性を有するユニット建物とすることができる。
【００２６】
請求項６記載のユニット建物によれば、建物ユニットの柱省略部に設けられた仮柱により、施工時の建物ユニットの変形等を防止することができ、通常の柱が有る建物ユニットと同様に扱うことができる。そして、繋ぎ柱と渡し梁を接合完了するまでは柱省略建物ユニットの仮柱を設けておき、渡し梁の接合完了後に仮柱を取外すので、渡し梁を接続時の建物ユニットの強度を低下せしめることがなく、施工段階の建物強度も十分に確保でき、施工性が良い。
【発明を実施するための最良の形態】
【００２７】
以下、本発明の、ユニット建物の実施の形態を図１乃至図５に基づいて説明する。
【実施例１】
【００２８】
図１は本発明のユニット建物の実施例の平面図である。図２は本発明のユニット建物の実施例の渡し梁と柱省略建物ユニットとの接合部の平面説明図である。図３は本発明のユニット建物の実施例の繋ぎ柱・渡し梁の接合部の立断面説明図である。図４は本発明のユニット建物の実施例の繋ぎ柱・渡し梁の接合部の平面説明図である。図５は本発明のユニット建物の実施例の建物ユニット・柱省略建物ユニットの斜視図である。
【００２９】
本実施例のユニット建物Ａは、図１に示すように、袋小路になった狭い道路Ｌの最も奥の敷地に設けられており、敷地の南西の角部分で道路に面した敷地に設けられている。このユニット建物の１階部分は、建物ユニットの桁面０．９ｍを１モジュールとして、西側に３モジュールの建物ユニット３個、東側に３モジュールの建物ユニット３個、そして、東側と西側の中間に３モジュールの建物ユニット３個を配置して構成されている。
【００３０】
標準的な建物ユニット１は、図５（ａ）に示すように、４本の角鋼管製柱２と、４本の形鋼製床梁３と、４本の形鋼製天井梁４とを箱形に接合した骨組構造体である。建物ユニット１は、４個のコーナー部で、相交差する床梁４をジョイントピース５により柱２の下端部に接続し、相交差する天井梁３をジョイントピース５により柱２の上端部に接合して構成される。
【００３１】
そして、本実施例では、図５（ｂ）に示すように、図５（ａ）の４本の柱２ａ乃至２ｄの内１本乃至４本を省略した柱省略建物ユニット１０を使用する。なお、図５（ｂ）は、柱２ｃを省略したものである。この柱省略建物ユニット１０には、柱省略部に仮柱６が着脱自在に設けられたものとなっている。また、柱省略建物ユニット１０は桁面３モジュールの柱省略建物ユニットであるので、桁面幅が略２．７ｍ強、妻面幅が略２．５ｍ又は１．２５ｍのものとなっている。
【００３２】
ユニット建物Ａの１階部分は、東側列に北側より柱省略建物ユニット１０Ｅ１、１０Ｅ２、１０Ｅ３の合計３個が配置され、中間列に北側より柱省略建物ユニット１０Ｔ１、１０Ｔ２、１０Ｔ３の合計３個が配置され、西側列に北側より柱省略建物ユニット１０Ｗ１、１０Ｗ２、１０Ｗ３の合計３個が配置され、それぞれ柱省略部７を互いに突き合せて配置されている。また、ユニット建物Ａの２階部分は、東側列に北側より柱省略建物ユニット１０Ｅ４、１０Ｅ５、１０Ｅ６の合計３個が配置され、中間列に北側より柱省略建物ユニット１０Ｔ４、１０Ｔ５、１０Ｔ６の合計３個が配置され、西側列に北側より柱省略建物ユニット１０Ｗ４、１０Ｗ５、１０Ｗ６の合計２個が配置され、それぞれ柱省略部７を互いに突き合せて配置されている。なお、柱省略建物ユニット１０Ｅ１乃至１０Ｅ５、１０Ｔ１乃至１０Ｔ５、及び１０Ｗ１乃至１０Ｗ５は妻サイズが略２．５ｍのものとなっており、柱省略建物ユニット１０Ｅ６、１０Ｔ６、１０Ｗ６は妻サイズが略１．２５ｍのものとなっている。
【００３３】
ユニット建物Ａの北側壁面は、高さ方向には１、２階で同じ壁面ラインとなっており、水平方向には東側列、中間列、西側列の北側壁面が揃ったものとなっている。そして、道路より最も遠い位置に配置された建物ユニットは、柱省略建物ユニット１０Ｅ１及び１０Ｅ４となっている。
【００３４】
ユニット建物Ａは、東側列の柱省略建物ユニット１０Ｅ１乃至１０Ｅ６の妻面と中間列の柱省略建物ユニット１０Ｔ１乃至１０Ｔ６の妻面との間、及び中間列の柱省略建物ユニット１０Ｔ１乃至１０Ｔ６の妻面と中間列の柱省略建物ユニット１０Ｗ１乃至１０Ｗ６の妻面との間が離し置き配置されている。そして、東側列の柱省略建物ユニット１０Ｅ１乃至１０Ｅ６の妻面と中間列の柱省略建物ユニット１０Ｔ１乃至１０Ｔ６の妻面との間に生じる建物ユニット間隙９ＥＴ、及び中間列の柱省略建物ユニット１０Ｔ１乃至１０Ｔ６の妻面と中間列の柱省略建物ユニット１０Ｗ１乃至１０Ｗ６の妻面との間に生じる建物ユニット間隙９ＴＷの屋外に面する箇所には、それぞれ間隙幅と略同幅の繋ぎ柱１１Ａ、１１Ｂ、１１Ｃ、１１Ｄが設けられている。
【００３５】
繋ぎ柱１１Ａは通し柱となっており、下階の柱省略建物ユニット１０Ｗ１と１０Ｔ１、の下端部から上階の柱省略建物ユニット１０Ｗ４と１０Ｔ４の上端部にまで延在したものとなっている。
また、繋ぎ柱１１Ａは、東側列の柱省略建物ユニット１０Ｗ１の柱２Ｗ１ｂ、１０Ｅ４の柱２Ｅ４ｂと、中間列の柱省略ユニット１０Ｔ１の柱２Ｔ１ａ、１０Ｔ４の柱２Ｔ４ａとを高力ボルトを用いて締め付けてその際に生じる摩擦抵抗により応力を伝達する高力ボルト摩擦接合により合成柱を形成している。
【００３６】
繋ぎ柱１１Ｂは通し柱となっており、下階の柱省略建物ユニット１０Ｔ１と１０Ｅ１、の下端部から上階の柱省略建物ユニット１０Ｔ４と１０Ｅ４の上端部にまで延在したものとなっている。
また、繋ぎ柱１１Ｂは、中間列の柱省略建物ユニット１０Ｔ１の柱２Ｔ１ｂ、１０Ｅ４の柱２Ｅ４ｂ、東側列の柱省略ユニット１０Ｅ１の柱２Ｅ１ａ、１０Ｅ４の柱２Ｅ４ａとを高力ボルトを用いて締め付けてその際に生じる摩擦抵抗により応力を伝達する高力ボルト摩擦接合により合成柱を形成している。
【００３７】
繋ぎ柱１１Ｃは通し柱となっており、下階の柱省略建物ユニット１０Ｗ３と１０Ｔ３、の下端部から上階の柱省略建物ユニット１０Ｗ６と１０Ｔ６の上端部にまで延在したものとなっている。
繋ぎ柱１１Ｃは、東側列の柱省略建物ユニット１０Ｗ３の柱２Ｗ３ｄと、中間列の柱省略ユニット１０Ｔ３の柱２Ｔ３ｃとを高力ボルトを用いて締め付けてその際に生じる摩擦抵抗により応力を伝達する高力ボルト摩擦接合により合成柱を形成している。
【００３８】
繋ぎ柱１１Ｄは通し柱となっており、下階の柱省略建物ユニット１０Ｔ３と１０Ｅ３、の下端部から上階の柱省略建物ユニット１０Ｔ６と１０Ｅ６の上端部にまで延在したものとなっている。
繋ぎ柱１１Ｄは、中間列の柱省略建物ユニット１０Ｔ３の柱２Ｔ３ｄと、東側列の柱省略ユニット１０Ｅ３の柱２Ｅ３ｃとを高力ボルトを用いて締め付けてその際に生じる摩擦抵抗により応力を伝達する高力ボルト摩擦接合により合成柱を形成している。
【００３９】
繋ぎ柱１１Ａ、１１Ｂ、１１Ｃ、１１Ｄの柱脚は基礎にボルト接合されたものとなっている。
【００４０】
建物ユニット間隙９ＥＴの下階天井梁４と上階床梁３に面する部分には、建物ユニットＡの妻面と平行な方向、つまり建物ユニット間隙９ＥＴの長手方向にＨ形鋼（Ｃ形鋼などでも可）で構成された渡し梁１３ＥＴが設けられており、渡し梁１３ＥＴの長手方向の両端部がそれぞれ繋ぎ柱１１Ａ、１１Ｃにボルト接合されている。なお、渡し梁１３ＥＴの成の高さは、下階の柱省略ユニットの天井梁４から上階の柱建物ユニットの床梁３にまで延在され、渡し梁１３ＥＴがその延在部分でも繋ぎ柱１１Ａにボルト１４によりボルト接続されている。
【００４１】
建物ユニット間隙９ＴＷの下階天井梁４と上階床梁３に面する部分には、建物ユニットＡの妻面と平行な方向、つまり建物ユニット間隙９ＴＷの長手方向にＨ形鋼（Ｃ形鋼などでも可）で構成された渡し梁１３ＴＷが設けられており、渡し梁１３ＴＷの長手方向の両端部がそれぞれ繋ぎ柱１１Ｂ、１１Ｄにボルト接合されている。なお、渡し梁１３ＴＷの成の高さは、下階の柱省略ユニットの天井梁４から上階の柱建物ユニットの床梁３にまで延在され、渡し梁１３ＴＷがその延在部分でも繋ぎ柱１１Ｂにボルト１４によりボルト接続されている。そして、渡し梁１３ＴＷには、それぞれ各柱省略建物ユニット１０Ｔ１乃至１０Ｅ６、及び各柱省略建物ユニット１０Ｗ１乃至１０Ｗ６の妻面がボルト接続されている。
【００４２】
そして、図２（図１のＨ部を例としている）に示すように、渡し梁１３ＥＴ、１３ＴＷにはそれぞれ各柱省略建物ユニット１０Ｅ１乃至１０Ｅ６と各柱省略建物ユニット１０Ｔ１乃至１０Ｔ６、各柱省略建物ユニット１０Ｔ１乃至１０Ｔ６と各柱省略建物ユニット１０Ｗ１乃至１０Ｗ６の妻面がボルト接続されている。
【００４３】
なお、ユニット建物Ａの構築方法としては、敷地に面する袋小路の道路  に小型のクレーンを設置して、最も奥となる柱省略建物ユニット１０Ｅ１から順番に吊り上げを行い所定位置に設置し下階を構築し、その後、柱省略建物ユニット１０Ｅ４から順番に吊り上げを行い所定位置に設置し上階を構築する。
【００４４】
また、渡し梁１３ＥＴ、１３ＴＷを繋ぎ柱１１Ａ、１１Ｂ、１１Ｃ、１１Ｄと各柱省略建物ユニット１０Ｅ１乃至１０Ｅ６、１０Ｔ１乃至１０Ｔ６、１０Ｗ１乃至１０Ｗ６に接続完了するまではそれぞれの柱省略建物ユニットの仮柱６を設けておき、渡し梁１３ＥＴ、１３ＴＷの接続完了後にそれぞれの柱省略建物ユニットの仮柱６を取外すものとしている。
【００４５】
また、このユニット建物Ａの下階部分は、柱省略建物ユニット１０Ｗ１と建物ユニット間隙９ＥＴとを使用して浴室、洗面、便所が設けられ、柱省略建物ユニット１０Ｗ２、１０Ｗ３と建物ユニット間隙９ＥＴとを使用して和室が設けられ、柱省略建物ユニット１０Ｔ１を使用して階段が設けられ、柱省略建物ユニット１０Ｔ２を使用して廊下が設けられ、柱省略建物ユニット１０Ｔ３を使用して玄関が設けられ、柱省略建物ユニット１０Ｅ１と建物ユニット間隙９ＴＷとを使用してキッチンが設けられ、柱省略建物ユニット１０Ｅ２、１０Ｅ３と建物ユニット間隙９ＴＷとを使用してリビング・ダイニングが設けられている。
【００４６】
ユニット建物Ａの上階部分は、柱省略建物ユニット１０Ｗ４、１０Ｗ５、１０Ｗ６と建物ユニット間隙９ＥＴとを使用して子供室が設けられ、柱省略建物ユニット１０Ｔ４を使用して階段が設けられ、柱省略建物ユニット１０Ｔ５を使用して廊下と便所が設けられ、柱省略建物ユニット１０Ｔ６を使用して書斎が設けられ、柱省略建物ユニット１０Ｅ４を使用して納戸が設けられ、柱省略建物ユニット１０Ｗ５、１０Ｗ６と建物ユニット間隙ＴＷとを使用して主寝室が設けられている。
【００４７】
本実施例によれば、以下の作用効果を奏する。
建物ユニットの間隙に繋ぎ柱が設けられ、繋ぎ柱と繋ぎ柱の間に渡し梁が設けられ、繋ぎ柱が対向する柱同士に接合されるので、建物ユニットの間隙部分は十分な剛性が確保される。そのため、渡し梁が設けられた建物ユニット間隙部分の建物ユニット妻面柱を省略しても十分な剛性を有するユニット建物とすることができる。
【００４８】
また、建物ユニットの屋外に面する柱以外の柱が省略されため、隣接する建物ユニットの柱位置を気にせずにユニット建物を構成することができる。また、隣接する建物ユニット同士が離し置き配置されているので、その建物ユニット間隙部分についても居室等に使用することができる。したがって、ユニット建物の敷地及びプラン対応力を向上させることができる。
【００４９】
また、図６のユニット建物Ｂが桁面４モジュールと桁面６モジュールの建物ユニットで構成されているのに対し、桁面３モジュールの柱省略ユニットを使用して構成できる。したがって、図１のように、袋小路の狭い道路Ｌに小型クレーンＫを設置して、最も遠い建物ユニットとなる柱省略ユニット１０Ｅ１、１０Ｅ４を吊り上げて所定位置に設置する据付作業ができる。
【００５０】
また、繋ぎ柱と妻面柱との接合が摩擦接合されるので、接合された繋ぎ柱と妻面柱との間の応力の流れが円滑となり、繋ぎ柱と妻面柱とが一体の柱状となるため、断面強度が向上しユニット建物の強度を向上させることができる。
【００５１】
また、下階建物ユニットの側から上階建物ユニットの側にまで延長した通し柱となっているため、ユニット建物の上下階での強度、ユニット建物の建物精度を向上させることができる。また、前記渡し梁の成の高さが上階建物ユニットの床梁にまで延在され、渡し梁がその延在部分でも繋ぎ柱に接続されているので、渡し梁の断面強度を向上させることができ、渡し梁の長手方向の長さを長くすることができるため、柱省略部分増やすことができる。
【００５２】
また、建物ユニットの柱省略部に設けられた仮柱により、施工時の建物ユニットの変形等を防止することができ、通常の柱が有る建物ユニットと同様に扱うことができる。そして、繋ぎ柱と渡し梁を接合完了するまでは柱省略建物ユニットの仮柱を設けておき、渡し梁の接合完了後に仮柱を取外すので、渡し梁を接続時の建物ユニットの強度を低下せしめることがなく、施工段階の建物強度も十分に確保でき、施工性が良い。
【００５３】
本実施例では、建物ユニット間隙９ＥＴ、９ＴＷに繋ぎ柱１１Ａ、１１Ｂ、１１Ｃ、１１Ｄを設けたが、繋ぎ柱１１Ａ、１１Ｂ、１１Ｃ、１１Ｄを設けないでユニット建物Ａを構成してもよい。
【００５４】
また、本実施例では建物ユニットの屋外に面する柱以外の全ての柱を省略したものとしたが建物ユニットの屋外に面しない柱を省略しないものとしても良い。
【００５５】
以上、本発明の実施例を説明したが、本発明は上記実施例に限定されるものではなく、本発明の要旨を逸脱しない範囲の設計変更があっても本発明に含まれるのは勿論である。
【産業上の利用可能性】
【００５６】
桁面幅の小さな建物ユニットで構築しても、プランの制約が少なくなるユニット建物として有効である。
【図面の簡単な説明】
【００５７】
【図１】本発明のユニット建物の実施例の平面図である。
【図２】本発明のユニット建物の実施例のＨ部での渡し梁と柱省略建物ユニットとの接合部の平面説明図である。
【図３】本発明のユニット建物の実施例のＩ部での繋ぎ柱・渡し梁の接合部の立断面説明図である。
【図４】本発明のユニット建物の実施例のＩ部での繋ぎ柱・渡し梁の接合部の平面説明図である。
【図５】本発明のユニット建物の実施例の建物ユニット・柱省略建物ユニットの斜視図である。
【図６】従来のユニット建物の平面図である。
【符号の説明】
【００５８】
Ａ                ユニット建物
Ｋ                小型クレーン
Ｌ                道路
１                建物ユニット
２                柱
３                床梁
４                天井梁
５                ジョイントピース
６                仮柱
７                柱省略部
８                補助柱
９                建物ユニット間隙
１０                柱省略建物ユニット
１１                繋ぎ柱
１２                合成柱
１３                渡し梁
１４                ボルト
１５                取付プレート
【図１】
2007247343.tif 000003
【図２】
2007247343.tif 000004
【図３】
2007247343.tif 000005
【図４】
2007247343.tif 000006
【図５】
2007247343.tif 000007
【図６】
2007247343.tif 000008